(57)【要約】  回転機１のセンサレス制御において、製造誤差に起因するＵＶＷ各相のインダクタンスのばらつきが大きくなると、各相の検出電流の間でアンバランスが生じる。これにより回転子の磁極位置の推定誤差が大きくなり、位置決め精度が低下する。制御手段（５）あるいは磁極位置演算手段（６）に各相の回転機定数に応じたゲインを付与する補正フィルタ（５６１，５６２，５６３，６２１，６２２，６２３）を設け、各相の検出電流の間で生ずるアンバランスを補正する。
2020217291.tif 000002
【特許請求の範囲】
【請求項１】
回転機を駆動する基本波電圧指令を生成するとともに、前記回転機の回転子の磁極位置を推定するための高周波電圧指令を生成し、前記基本波電圧指令及び前記高周波電圧指令を用いて電圧指令を演算する制御手段と、
前記電圧指令に基づいて前記回転機に電圧を印加する電圧印加手段と、
前記回転機の各相の電流を検出する電流検出手段と、
前記検出された回転機の電流から各相の高周波電流を抽出し、前記磁極位置の推定位置を演算する磁極位置演算手段と、
前記各相間の高周波電流のアンバランスを調整するアンバランス調整器と、を備え、
前記磁極位置演算手段は、前記アンバランスの調整された高周波電流を用いて前記回転機の回転子の磁極の推定位置を演算する交流回転機の制御装置。
【請求項２】
前記アンバランス調整器は、前記各相の高周波電流に前記回転機の各相の回転機定数に基づくゲインを付与することにより、各相間の高周波電流のアンバランスを調整する請求項１に記載の交流回転機の制御装置。
【請求項３】
前記アンバランス調整器は、前記高周波電圧指令のうち少なくとも２相の高周波電圧指令に対し、前記各相の回転機定数に基づくゲインを付与し、各相間の高周波電流のアンバランスを調整する請求項１に記載の交流回転機の制御装置。
【請求項４】
前記ゲインは比例定数であることを特徴とする請求項２または３に記載の交流回転機の制御装置。
【請求項５】
請求項１または２に記載の交流回転機の制御装置を用いた交流回転機の制御方法であって、
前記回転機の回転子を第一磁極位置に回動し、前記高周波電圧指令に基づく高周波電圧を印加することで前記電流検出手段により前記第一磁極位置における高周波電流振幅を取得する第一ステップ、
前記第一ステップにおいて取得した第一磁極位置での高周波電流に基づいて、第二及び第三磁極位置の高周波電流を算出し、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、
前記磁極の推定位置に基づいて回転機を駆動させるステップを備える交流回転機の制御方法。
【請求項６】
請求項１または２に記載の交流回転機の制御装置を用いた交流回転機の制御方法であって、
前記回転機の回転子を第一磁極位置に回動し、前記高周波電圧指令に基づく高周波電圧を印加することで前記電流検出手段により前記第一磁極位置における高周波電流振幅を取得する第一ステップ、
前記回転機の回転子を第二磁極位置に回動し、前記高周波電圧指令に基づく高周波電圧を印加することで前記電流検出手段により前記第二磁極位置における高周波電流振幅を取得する第二ステップ、
前記回転機の回転子を第三磁極位置に回動し、前記高周波電圧指令に基づく高周波電圧を印加することで前記電流検出手段により前記第三磁極位置における高周波電流振幅を取得する第三ステップ、
前記第一ステップ、前記第二ステップ及び前記第三ステップにおいて取得した各磁極位置での高周波電流振幅に基づいて、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、
前記磁極の推定位置に基づいて回転機を駆動させるステップを備える交流回転機の制御方法。
【請求項７】
請求項１または３に記載の交流回転機の制御装置を用いた交流回転機の制御方法であって、
前記回転機の回転子を第一磁極位置に回動し、予め定められた高周波電流振幅指令と前記高周波電流の振幅とが一致するように、前記高周波電圧指令の振幅を調整し、前記第一磁極位置における高周波電圧振幅を取得する第一ステップ、
前記回転機の回転子を第二磁極位置に回動し、前記高周波電流振幅指令と前記高周波電流の振幅とが一致するように、前記高周波電圧指令の振幅を調整し、前記第二磁極位置における高周波電圧振幅を取得する第二ステップ、
前記回転機の回転子を第三磁極位置に回動し、前記高周波電流振幅指令と前記高周波電流の振幅とが一致するように、前記高周波電圧指令の振幅を調整し、前記第三磁極位置における高周波電圧振幅を取得する第三ステップ、
前記第一ステップ、前記第二ステップ及び前記第三ステップにおいて取得した各磁極位置での高周波電圧振幅に基づいて、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、前記磁極の推定位置に基づいて回転機を駆動させるステップを備える交流回転機の制御方法。
【請求項８】
前記回転機の各相間の高周波電流のアンバランスを調整するステップにおいて、前記第一ステップ、前記第二ステップ及び前記第三ステップにおいて取得した各相の高周波電流振幅の平均値に基づいて算出されるゲインを付与することにより、各相間の高周波電流のアンバランスを調整する請求項６に記載の交流回転機の制御方法。
【請求項９】
前記回転機の各相間の高周波電流のアンバランスを調整するステップにおいて、前記第一ステップ、前記第二ステップ及び前記第三ステップにおいて取得した各相の高周波電圧振幅の平均値に基づいて算出されるゲインを付与することにより、各相間の高周波電流のアンバランスを調整する請求項７に記載の交流回転機の制御方法。
【発明の詳細な説明】
【技術分野】
【０００１】
本願は、交流回転機の制御装置及び交流回転機の制御方法に関するものである。
【背景技術】
【０００２】
交流回転機の回転子位置を位置センサを用いることなく検出する方法として、交流回転機の回転を制御する電圧とは別に、回転子位相を検出するための高周波電圧を印加して、回転機の位置を検出する方法が知られている（例えば、特許文献１）。この方法においては、回転機のインダクタンスが回転子の一周期に対して２倍周期の正弦波状に変化するインダクタンスの突極性を用いて回転機の磁極位置の検出が行われる。【０００３】
特許文献１では、電流センサにより検出された各相の電流からハイパスフィルタ等を用いて各相の高周波電流を抽出し、三相高周波電流を高周波目標電流と一致させるための三相高周波電力指令を出力する。そして、この三相高周波電力指令の空間ベクトルから磁極位置を算出することが開示されている。
【先行技術文献】
【特許文献】
【０００４】
【特許文献１】特許第３８８２７２８号公報
【発明の概要】
【発明が解決しようとする課題】
【０００５】
特許文献１では、磁極位置を算出するために、電流センサにより各相の電流を検出するが、回転機の製造ばらつきが発生すると製造誤差が原因で各相のインダクタンスのばらつきが大きくなり、インダクタンスが理想的な正弦波状の特性にならない。そのため、最終的な磁極位置の検出精度が低下し、ひいては回転機の位置制御時の位置決め精度が低下することになる。【０００６】
本願は、上記のような課題を解決するための技術を開示するものであり、位置制御時の磁極位置の検出精度を向上させる交流電動機の制御装置を得ることを目的とする。
【課題を解決するための手段】
【０００７】
本願に開示される交流回転機の制御装置は、回転機を駆動する基本波電圧指令を生成するとともに、前記回転機の回転子の磁極位置を推定するための高周波電圧指令を生成し、前記基本波電圧指令及び前記高周波電圧指令を用いて電圧指令を演算する制御手段と、前記電圧指令に基づいて前記回転機に電圧を印加する電圧印加手段と、前記回転機の各相の電流を検出する電流検出手段と、前記検出された回転機の電流から各相の高周波電流を抽出し、前記磁極位置の推定位置を演算する磁極位置演算手段と、前記各相の回転機定数に基づくゲインを付与し各相間の高周波電流のアンバランスを調整するアンバランス調整器と、を備え、前記磁極位置演算手段は、前記アンバランスの調整された高周波電流を用いて前記回転機の回転子の磁極の推定位置を演算するものである。
【発明の効果】
【０００８】
本願に開示される交流回転機の制御装置によれば、前記三相電流検出値に前記アンバランスを補正するゲインを付与することにより、電流アンバランスが補正される。これにより位置推定精度が向上し、位置決め精度も向上することができる。
【図面の簡単な説明】
【０００９】
【図１】実施の形態１に係る回転機の制御装置の構成を示すブロック図である。
【図２】実施の形態１に係る制御手段の構成を示すブロック図である。
【図３】実施の形態１に係る磁極位置演算手段の構成を示すブロック図である。
【図４】実施の形態１による高周波成分抽出部の構成を示すブロック図である。
【図５】実施の形態１に係る回転子磁束ベクトルを説明する図である。
【図６】実施の形態１に係る磁極位置演算器を説明するブロック図である。
【図７】実施の形態１に係る実磁極位置と位置指令との差分（位置誤差）を説明する比較例を示す図である。
【図８】実施の形態１に係る高周波電流のアンバランス補正を用いセンサレス位置制御を行った場合の位置誤差を説明する図である。
【図９】実施の形態１に係る回転機の制御装置を含む回転機システムのハードウェア構成を示すブロック図である。
【図１０】実施の形態２に係る制御手段の構成を示すブロック図である。
【図１１】実施の形態３に係るフィルタ係数取得シーケンスを説明するブロック図で、実施の形態１の構成とした場合のものである。
【図１２】実施の形態３に係るフィルタ係数取得シーケンスを説明するブロック図で、実施の形態２の構成とした場合のものである。
【発明を実施するための形態】
【００１０】
以下、実施の形態について図を参照して説明する。なお、各図中、同一符号は、同一または相当部分を示すものとする。
【００１１】
実施の形態１．
実施の形態１に係る回転機の制御装置について図を用いて説明する。図１は実施の形態１に係る回転機の制御装置の構成を示す図である。以降はこの構成図に基づいて各構成部の動作を詳細に説明する。
回転機１は、交流回転機である同期機を指し、本実施の形態では永久磁石を用いた同期機である。なお、本実施の形態では回転機として永久磁石を用いた同期機を例にした構成で説明するが、リラクタンスモータなどの同期機であってもよい。本実施の形態と同様の構成で後述するアンバランス調整器６２等を用いて高周波電流のアンバランスを補正することが可能である。
【００１２】
制御装置１０は、回転機１に接続され回転機１に流れる回転機電流（三相の電流ベクトル）を検出する電流検出手段２、インバータ回路等の電力変換器にて構成され、制御手段５から出力される電圧指令に基づいて回転機１に電圧を印加する電圧印加手段３、電流検出手段２で検出された検出電流ベクトルを用いて磁極位置を演算する磁極位置演算手段６及び電流検出手段２で検出された検出電流ベクトルを磁極位置演算手段６で算出された磁極位置の推定位置を用いて座標変換し制御手段５に出力する座標変換器４を備える。
以下、制御装置１０の各構成部について詳細に説明する。
【００１３】
電流検出手段２は回転機１の三相検出電流ベクトル（Ｉｕ、Ｉｖ、Ｉｗ）を検出する。
座標変換器４は、電流検出手段２で検出された三相検出電流ベクトル（Ｉｕ、Ｉｖ、Ｉｗ）を後述する磁極位置演算手段６から出力される推定位置を用いて、ｄｑ軸上の電流に座標変換し、これを検出電流ベクトル（Ｉｄｓ、Ｉｑｓ）として出力する。なお、ｄｑ軸は三相（ＵＶＷ）軸の静止座標を回転機の回転子に同期して回転する直交座標に変換したもので、公知のものである。
なお、三相検出電流ベクトルは、電流を三相とも検出するほか、二相分を検出して三相電流の和がゼロであることを利用して求めてもよい。さらに、電圧印加手段３であるインバータの母線電流、インバータを構成するスイッチング素子に流れる電流及びスイッチング素子の状態等から三相検出電流ベクトルを演算して取得してもよい。
【００１４】
図２は、制御手段５の構成を示す図である。図２において、制御手段５は、電流制御器５１、高周波電圧指令生成器５２、座標変換器５３、加算器５４、及び加減算器５５を備える。
加減算器５５は、電流指令ベクトル（Ｉｄ＊、Ｉｑ＊）から検出電流ベクトル（Ｉｄｓ、Ｉｑｓ）を減算して電流偏差を演算し、出力する。
電流制御器５１は、加減算器５５から入力された電流偏差が０になるように、ＰＩ制御によって基本波電圧指令ベクトル（Ｖｄｆ、Ｖｑｆ）を出力する。この基本波電圧指令ベクトルは同期機の回転動作の駆動指令である。
【００１５】
高周波電圧指令生成器５２はｄ軸およびｑ軸の高周波電圧指令ベクトル（Ｖｄｈ，Ｖｑｈ）を生成する。この高周波電圧指令ベクトルは基本波電圧指令ベクトルの周波数よりも高周波である。
加算器５４は、基本波電圧指令ベクトル（Ｖｄｆ、Ｖｑｆ）と高周波電圧指令ベクトル（Ｖｄｈ，Ｖｑｈ）とを加算した電圧指令（Ｖｄ＊、Ｖｑ＊）を出力する。
座標変換器５３は、磁極位置演算手段６から出力された推定位置を使って、加算器５４の出力である（Ｖｄ＊、Ｖｑ＊）をｄｑ軸から静止座標の電圧指令ベクトル（Ｖｕ，Ｖｖ，Ｖｗ）に変換し出力する。
【００１６】
次に、磁極位置演算手段６の動作について述べる。
図３は、磁極位置演算手段６の構成を示す図である。図３において、磁極位置演算手段６は、高周波成分抽出部６１、アンバランス調整器６２及び磁極位置演算器６３を備える。
電流検出手段２で検出された三相検出電流ベクトル（Ｉｕ、Ｉｖ、Ｉｗ）は高周波成分抽出部６１に入力され、各相の高周波成分が抽出されて、各相の高周波電流ベクトル（Ｉｕｈ、Ｉｖｈ、Ｉｗｈ）を出力する。
アンバランス調整器６２は各相に対応するフィルタ６２１、６２２、６２３を備え、各相の高周波電流ベクトル（Ｉｕｈ、Ｉｖｈ、Ｉｗｈ）の電流アンバランスを補正する。
磁極位置演算器６３は、補正された高周波電流ベクトルを用いて磁極位置の推定位置を演算する。
【００１７】
なお、この各相高周波電流のアンバランスは回転機の製造誤差によってＵＶＷ各相のインダクタンス値に差異があることによって発生する。この差異がない場合にはｄｑ軸上に換算されたｄ軸インダクタンスＬｄ、ｑ軸インダクタンスＬｑは回転子位置によらず一定の値を持つ。しかし、この差異が大きい場合、ｄ軸インダクタンスＬｄ、ｑ軸インダクタンスＬｑはそれぞれ回転子の一周期に対して２倍周期の正弦波状に歪む。これにより、位置推定精度が低下することになる。したがって、本実施の形態のように各相の高周波電流に対してそれぞれアンバランスを補正するフィルタを付与することにより、位置推定精度の低下を防ぐことができる。
【００１８】
図４に高周波成分抽出部６１の制御ブロック図を示す。高周波成分抽出部６１は、フィルタ６１１を用いて、検出電流ベクトル（Ｉｕ，Ｉｖ，Ｉｗ）から高周波電流ベクトル（Ｉｕｈ，Ｉｖｈ，Ｉｗｈ）を抽出する。フィルタ６１１は、検出電流ベクトルから高周波電圧ベクトルと同一周波数成分を抽出できるものならどのようなものを用いてもよい。例えば、狭帯域のバンドストップフィルタとして公知であるノッチフィルタを利用して、高周波電流ベクトルを抽出すればよい。
【００１９】
図４のフィルタ６１１としてノッチフィルタを利用した例で、高周波成分抽出部６１の動作を説明する。なお、ノッチフィルタ（フィルタ６１１）は次の式（１）で示され、このフィルタにより高周波電圧ベクトルの角周波数ωｈを除去する。高周波成分抽出部６１に入力された検出電流ベクトル（Ｉｕ，Ｉｖ，Ｉｗ）に対し、ノッチフィルタ（フィルタ６１１）を施して、角周波数ωh成分を除去する。加減算器６１２では検出電流ベクトル（Ｉｕ，Ｉｖ，Ｉｗ）からフィルタ６１１の出力を減算することで、検出電流ベクトル（Ｉｕ，Ｉｖ，Ｉｗ）から角周波数ωh成分の高周波電流ベクトル（Ｉｕｈ，Ｉｖｈ，Ｉｗｈ）を演算する。なお、式（１）において、ｓはラプラス演算子、ｑxはノッチの深さである。
【数１】
2020217291.tif 000003
【００２０】
なお、図２で説明した高周波電圧指令生成器５２が生成する高周波電圧指令ベクトルは式（２）のように高周波回転電圧ベクトルとして表すことができる。
【数２】
2020217291.tif 000004
【００２１】
なお、上式（２）では高周波回転電圧ベクトルとしたが、式（２）中、式（２−１）においてＶqh＝０とし、ｄ軸方向のみに交番する電圧ベクトルとしても良い。なお、本実施の形態１では高周波電圧指令生成器５２においてｄ軸方向のみに交番する電圧ベクトルを用いる。
【００２２】
前述したが、製造ばらつき等に起因したＵＶＷ各相のインダクタンス値のばらつきにより、ＵＶＷ各相の高周波電流がアンバランスとなる。そのため、高周波成分抽出部６１で抽出された高周波電流ベクトル（Ｉｕｈ，Ｉｖｈ，Ｉｗｈ）のＵＶＷ各相の高周波電流はアンバランスとなっている。図３で示されたアンバランス調整器６２が備えるフィルタ６２１，６２２，６２３は高周波成分抽出部６１で抽出された高周波電流ベクトル（Ｉｕｈ，Ｉｖｈ，Ｉｗｈ）に対して、ＵＶＷ各相間の高周波電流の差異を補正する。
【００２３】
次に、フィルタ６２１の値Ｇu，６２２の値Ｇv，６２３の値Ｇwについて説明する。
まず、回転機１の回転子Ｎ極をＵＶＷ相それぞれの相の位相に合わせた状態で、ｄ軸方向のみに交番する電圧ベクトルを印加した時の各相の高周波電流振幅は、式（３）のように表すことができる。なお、以降の式の記載において、上付きの添え字は回転子Ｎ極が各相の方向に位相を合わせた状態において測定した値を示す。
【００２４】
【数３】
2020217291.tif 000005
ｓ：ラプラス演算子
である。
なお、ここではｄｑ座標系でのインダクタンスで考えているが、三相の静止座標系のインダクタンスを用いてフィルタを構成してもよい。
【００２５】
式（３）で表される各相の高周波電流振幅を用い、ある基準となる電流振幅との比を取り、その逆数が各相に対する補正ゲインであり、これを各相に付与するフィルタの値とする。なお、基準となる相はいずれの相であってもかまわないがここでは検出する回転機の高周波電流振幅のうちＵ相高周波電流振幅を基準にした場合のフィルタ６２１の値Ｇuを式（４）に、フィルタ６２２の値Ｇvを式（５）に、フィルタ６２３の値Ｇwを式（６）に示す。
【数４】
2020217291.tif 000006
【数５】
2020217291.tif 000007
【数６】
2020217291.tif 000008
【００２６】
なお、高周波電圧指令生成器５２が生成する高周波電圧指令ベクトルの角速度が十分に大きくＲ≪ｓＬが成立する場合においては、回転機の固定子抵抗の影響を無視することができる。この場合のフィルタ６２１の値Ｇuを式（７）に、フィルタ６２２の値Ｇvを式（８）に、フィルタ６２３の値Ｇwを式（９）に示す。ここで、フィルタ６２１、６２２，６２３の値は比例定数となり、ある相を基準とすることで基準相となる高周波電流にかかるフィルタは１倍で表されることになり、計算機の計算量を抑える構成を実現することができる。なお、基準相となる高周波電流にかかるフィルタは省略してもよい。
【００２７】
【数７】
2020217291.tif 000009
【数８】
2020217291.tif 000010
【数９】
2020217291.tif 000011
【００２８】
フィルタ６２１、６２２、６２３に設定する値は式（４）、式（５）、式（６）または式（７）、式（８）、式（９）のいずれかで良い。高周波電流ベクトル（Ｉｕｈ，Ｉｖｈ，Ｉｗｈ）にフィルタ６２１、６２２、６２３をそれぞれ掛けたもの、すなわち補正ゲインを掛けたものは高周波補正電流ベクトル（Ｉｕｈ＿ｆｌｔ，Ｉｖｈ＿ｆｌｔ，Ｉｗｈ＿ｆｌｔ）となる。
【００２９】
次に、磁極位置演算器６３について説明する。磁極位置演算器６３は補正された各高周波電流ベクトルと予め記憶されている回転機定数（固定子抵抗Ｒ、固定子インダクタンスＬ等）とに基づいて回転機１の推定磁極位置θ0を算出する。
まず、回転機１の推定磁極位置θ0の算出方法について説明する。図５は、実施の形態１による回転子磁束および電圧指令ベクトルの印加方向を示す図である。図５において、回転子の磁束ベクトル方向をｄｍ軸、その直交方向をｑｍ軸とし、高周波交番電圧ベクトルを印加することで得られる推定磁極位置θ0が示す方向をｄ軸、その直交方向をｑ軸とし、ｄ軸とｄｍ軸との間にΔθの偏差があるとする。
【００３０】
高周波電圧を印加することで得られる高周波電流から回転子磁束ベクトルの方向（ｄｍ軸）と推定磁極位置θ0が示す方向（ｄ軸）との偏差であるΔθを演算するには、例えば特許第６１０４０２１号公報に記載の方法に基づき、下記の式（１０）を用いて行えばよい。但し、本実施の形態においては公知文献の「ｑ軸高周波電流振幅」の代わりに、アンバランス調整器６２により補正した高周波補正電流振幅を用いて「高周波ｑ軸補正電流振幅」を算出し、これを用いて行う。
【数１０】
2020217291.tif 000012
【００３１】
なお、式（１０）において、高周波電圧の角周波数ωhと高周波電圧振幅Ｖhは高周波電圧指令生成器５２で任意に設定できるものであるため既知であり、Ｌおよびｌは事前に測定することで入手できるＬｄ，Ｌｑより求めることができるものであるので既知である。また、後述する積分器６３４が、定常的にはΔθがゼロに近づくように動作するため、２Δθ≒０であるから、ｓｉｎ２Δθ≒２Δθと近似できる。従って、式（１０）から次の式（１１）が導かれる。
【数１１】
2020217291.tif 000013
【００３２】
図６は、磁極位置演算器６３の構成を示す図である。図において、磁極位置演算器６３は、座標変換器６３１、交番電流振幅抽出部６３２、磁極偏差演算器６３３及び積分器６３４を備える。
まず、座標変換器６３１において、アンバランス調整器６２の出力である高周波補正電流ベクトル（Ｉｕｈ＿ｆｌｔ，Ｉｖｈ＿ｆｌｔ，Ｉｗｈ＿ｆｌｔ）を磁極位置演算手段６から出力される推定位置を用いて、ｄｑ軸上の電流に座標変換し、これを高周波補正電流ベクトル（Ｉｄｈ＿ｆｌｔ，Ｉｑｈ＿ｆｌｔ）として出力する。
【００３３】
次に、交番電流振幅抽出部６３２において、座標変換器６３１から入力された高周波補正電流ベクトル（Ｉｄｈ＿ｆｌｔ，Ｉｑｈ＿ｆｌｔ）のｑ軸成分Ｉｑｈ＿ｆｌｔから次の式（１２）を用いて振幅｜Ｉｑｈ＿ｆｌｔ｜を演算する。式（１２）中のＴはＩｑｈ＿ｆｌｔの周期である。
【数１２】
2020217291.tif 000014
【００３４】
磁極偏差演算器６３３は、交番電流振幅抽出部６３２で演算し抽出された振幅｜Ｉｑｈ＿ｆｌｔ｜を用いて、式（１０）または式（１１）のいずれかを用いて、偏差Δθを演算する。
算出された偏差Δθを積分器６３４で積分演算し、推定磁極位置θ0を算出する。
なお、実施の形態１に示す構成は電流制御系のみの構成としているが、速度制御系を構築する場合は推定磁極位置θ0を微分することで、推定速度ωを算出することができ、ＰＩ制御器の追加により速度制御系を構成することができる。
【００３５】
図７、８は、交流回転機をセンサレスで位置制御運転した場合、回転機を１回転させたときの実磁極位置と位置指令との差分（位置誤差）を示した図である。図７は本実施の形態の構成を用いない例、図８は本実施の形態１による各相間の高周波電流のアンバランス補正を行い、センサレス位置制御により回転機を運転した場合の位置誤差である。
図８は実施の形態１において、各相の高周波電流のアンバランス補正により各相の電流のアンバランスを約５％低減した場合の結果であるが、図７と比して位置決めの誤差が２から０．２［ｄｅｇ］と約９０％も低減したことがわかる。
【００３６】
以上のように、本実施の形態１によれば、各相の高周波電流振幅を用い磁極位置演算手段６において各相間の高周波電流のアンバランスを補正するゲインを付与することで、各相間の電流アンバランスが低減し、回転機の磁極位置の検出精度が向上する。また、このようにして求められた磁極の推定位置に基づいて交流回転機を制御することで、位置センサを用いない回転機の位置制御運転であっても位置決め精度を向上することが可能となる。
【００３７】
なお、上記実施の形態１による交流回転機１の制御装置１０を備える回転機システムのハードウェア構成を図９に示す。
図９に示すように、回転機システムは、回転機１、回転機１の制御装置１０、及び制御装置１０に指令を与える上位のコントローラ１３を備えており、回転機１を駆動する。制御装置１０は、ハードウェア構成として、プロセッサ１１、記憶装置１２、電流検出手段２、及び電圧印加手段３を備える。
【００３８】
図１で示した制御手段５、座標変換器４、磁極位置演算手段６は、記憶装置１２に記憶されたプログラムを実行するプロセッサ１１により実現される。
記憶装置１２は、図示していないが、ランダムアクセスメモリ等の揮発性記憶装置と、フラッシュメモリ等の不揮発性の補助記憶装置とを備える。不揮発性の補助記憶装置の代わりにハードディスク等の補助記憶装置を備えても良い。
プロセッサ１１に、記憶装置１２の補助記憶装置から揮発性記憶装置を介してプログラムが入力され、プロセッサ１１は、記憶装置１２から入力されたプログラムを実行する。また、プロセッサ１１は、演算結果等のデータを記憶装置１２の揮発性記憶装置に出力するか、あるいは揮発性記憶装置を介して補助記憶装置に出力してデータを保存する。
なお、制御手段５、座標変換器４、磁極位置演算手段６は、システムＬＳＩ等の処理回路により実現しても良い。
【００３９】
また、座標変換器４および電圧印加手段３への電圧指令Ｖｄ＊、Ｖｑ＊を三相電圧指令に変換する機能は、プロセッサ１１、またはシステムＬＳＩ等の処理回路により実現しても良い。さらに、複数のプロセッサ１１および複数の記憶装置１２が連携して上記機能を実行してもよいし、複数の処理回路が連携して上記機能を実行してもよい。また、それらを組み合わせて上記機能を実行してもよい。
【００４０】
実施の形態２．
上記実施の形態１では、磁極位置演算手段６で高周波電流に対してゲインを付与する（フィルタを設ける）ことで直接的に電流アンバランスの補正を行う方法について示した。本実施の形態２では検出電流に対して補正を行うのではなく制御手段５において重畳する高周波電圧指令ベクトルに対して補正フィルタを付与することにより高周波電流ベクトル（Ｉｕｈ，Ｉｖｈ，Ｉｗｈ）のアンバランスの補正を行う方法について説明する。実施の形態１の図１に示した回転機の制御装置の構成図において、制御手段５を図１０で示す構成とする。それ以外の構成は実施の形態と同様であり、説明を省略する。
【００４１】
図１０は、実施の形態２に係る回転機の制御装置における制御手段５の構成を示すブロック図である。図において、制御手段５は、電流制御器５１、高周波電圧指令生成器５２、座標変換器５３、アンバランス調整器５６、加減算器５５、及び加算器５７、５８、５９を備える。また、高周波電圧指令生成器５２は座標変換器５２２を備え、アンバランス調整器５６はフィルタ５６１、５６２、５６３を備える。
【００４２】
座標変換器５２２は、高周波電圧指令ベクトル（Ｖｄｈ＊、Ｖｑｈ＊）をｄｑ軸から静止座標の高周波電圧指令ベクトル（Ｖｕｈ＊，Ｖｖｈ＊，Ｖｗｈ＊）に変換し出力する。
アンバランス調整器５６に入力された高周波電圧指令ベクトル（Ｖｕｈ＊，Ｖｖｈ＊，Ｖｗｈ＊）はアンバランス補正が行われ、高周波補正電圧指令ベクトル（Ｖｕｈ＿ｆｌｔ＊，Ｖｖｈ＿ｆｌｔ＊，Ｖｗｈ＿ｆｌｔ＊）に変換される。
【００４３】
一方、加減算器５５は、電流指令ベクトル（Ｉｄ＊、Ｉｑ＊）から検出電流ベクトル（Ｉｄｓ、Ｉｑｓ）を減算して電流偏差を演算し、出力する。
電流制御器５１は、加減算器５５から入力された電流偏差が０になるようにＰＩ制御によって基本波電圧指令ベクトル（Ｖｄｆ、Ｖｑｆ）を出力する。
座標変換器５３は、磁極位置演算手段６から出力された推定位置を使って電流制御器５１の出力である基本波電圧指令ベクトル（Ｖｄｆ、Ｖｑｆ）をｄｑ軸から静止座標の基本波電圧指令ベクトル（Ｖｕｆ，Ｖｖｆ，Ｖｗｆ）に変換し出力する。
【００４４】
加算器５７、５８、５９は、それぞれ基本波電圧指令ベクトル（Ｖｕｆ，Ｖｖｆ，Ｖｗｆ）を加算し、アンバランス調整器５６の出力である高周波補正電圧指令ベクトル（Ｖｕｈ＿ｆｌｔ＊，Ｖｖｈ＿ｆｌｔ＊，Ｖｗｈ＿ｆｌｔ＊）を加算することで、高周波成分の補正された静止座標の各相電圧指令ベクトルを出力する。
【００４５】
図１を参照すると、上述のとおり制御手段５から出力された高周波成分の補正された静止座標の各相電圧指令ベクトルに基づき電圧印加手段３から回転機１に電圧が印加され、電流検出手段２ではＵＶＷ各相の電流が検出される。この時、各相電圧指令ベクトルは予め高周波成分が補正されているため、各相の電流のアンバランスが抑制されている。その結果、磁極位置演算手段で高精度の磁極位置を演算することができる。
【００４６】
次に、アンバランス調整器５６における補正処理について説明する。
ＵＶＷ各相のインダクタンス値の間に生じるアンバランスによって高周波電流ベクトル（Ｉｕｈ，Ｉｖｈ，Ｉｗｈ）の各相間には差異（アンバランス）が生じる。アンバランス調整器５６のフィルタ５６１、５６２、５６３は、この高周波電流ベクトル（Ｉｕｈ，Ｉｖｈ，Ｉｗｈ）にアンバランスが生じないように、電圧印加手段３に出力される電圧指令ベクトルに対し、高周波電圧指令ベクトル（Ｖｕｈ＊，Ｖｖｈ＊，Ｖｗｈ＊）の補正を行う役割を備える。
なお、ここでは高周波電圧指令生成器５２が生成する高周波電圧指令ベクトルの角速度が十分に大きくＲ≪ｓＬが成立する場合について考える。この場合、固定子巻線抵抗分については無視することができるが、影響を考慮して、実施の形態１と同様に固定子巻き線相抵抗分を含めたフィルタを構成しても良い。
【００４７】
フィルタ５６１の値Ｇu，５６２の値Ｇv，５６３の値Ｇwについて説明する。
まず、回転機１の回転子Ｎ極をＵＶＷ相それぞれの相に位相を合わせた状態で高周波交番電圧を印加した時の各相の高周波電圧振幅は次の式（１３）のように表すことができる。
【００４８】
【数１３】
2020217291.tif 000015
【００４９】
式（１３）で表される各相の高周波電圧振幅を用い、ある基準となる相の高周波電圧振幅との比を取り、その逆数を各相に付与するゲインとし、フィルタの値とする。なお、基準となる相はいずれの相であってもかまわないがここではＵ相高周波電圧振幅を基準に取った場合のフィルタ５６１の値Ｇuを式（１４）に、フィルタ５６２の値Ｇvを式（１５）に、フィルタ５６３の値Ｇwを式（１６）に示す。
【００５０】
【数１４】
2020217291.tif 000016
【数１５】
2020217291.tif 000017
【数１６】
2020217291.tif 000018
【００５１】
このように設定されたフィルタ５６１、５６２、５６３をかけることで、高周波電圧指令ベクトル（Ｖｕｈ＊，Ｖｖｈ＊，Ｖｗｈ＊）はアンバランス補正され、高周波補正電圧指令ベクトル（Ｖｕｈ＿ｆｌｔ＊，Ｖｖｈ＿ｆｌｔ＊，Ｖｗｈ＿ｆｌｔ＊）が出力される。この高周波補正電圧指令ベクトル（Ｖｕｈ＿ｆｌｔ＊，Ｖｖｈ＿ｆｌｔ＊，Ｖｗｈ＿ｆｌｔ＊）が考慮された電圧指令ベクトルを制御手段５が出力することで、高周波電流ベクトル（Ｉｕｈ，Ｉｖｈ，Ｉｗｈ）の各相間はアンバランスが抑制され、磁極位置検出の精度が向上する。
【００５２】
なお、本実施の形態において、実施の形態１の図３で示された磁極位置演算手段６が備えるアンバランス調整器６２のフィルタ６２１、６２２、６２３はそれぞれを１倍とし、アンバランス調整器６２において補正を行わなくてもよい。しかし、より電流のアンバランス調整の精度を高めるためには、アンバランス調整器５６及びアンバランス調整器６２の両方について設定を行ってもよい。
【００５３】
以上のように、本実施の形態２によれば、各相の高周波電圧振幅を用い制御手段５において高周波電圧指令の補正を行うことで、高周波電流ベクトルに発生する各相間のアンバランスを補正するので、各相間の電流アンバランスが低減し、回転機の磁極位置の検出精度が向上する。また、このようにして求められた磁極の推定位置に基づいて交流回転機を制御することで、位置センサを用いない回転機の位置制御運転であっても位置決め精度を向上することが可能となる。
【００５４】
実施の形態３．
実施の形態３では実施の形態１と実施の形態２におけるアンバランス調整器内のフィルタ係数の取得シーケンスについて説明する。
図１１は、実施の形態１の構成、すなわち磁極位置演算手段６のアンバランス調整器６２のフィルタ６２１、６２２、６２３に係数を設定する場合の取得シーケンスを示すフローチャートである。
まずステップ８０１において、制御手段５により回転機１の第一磁極位置である位相に直流電流を印加し、回転子のＮ極を第一磁極位置に回動させる。回動動作が終了した後、制御手段５により回転機１に高周波交番電圧あるいは高周波回転電圧を印加し、電流検出手段２により高周波電流の振幅が測定される。
【００５５】
ステップ８０２において、制御手段５により回転機１の第二磁極位置である位相に直流電流を印加し、回転子のＮ極を第二磁極位置に回動させる。回動動作が終了した後、制御手段５により回転機１に高周波交番電圧あるいは高周波回転電圧を印加し、電流検出手段２により高周波電流の振幅が測定される。
【００５６】
ステップ８０３において、制御手段５により回転機１の第三磁極位置である位相に直流電流を印加し、回転子のＮ極を第三磁極位置に回動させる。回動動作が終了した後、制御手段５により回転機１に高周波交番電圧あるいは高周波回転電圧を印加し、電流検出手段２により高周波電流の振幅が測定される。
【００５７】
ステップ８０１からステップ８０３の動作は磁極位置が異なるだけで、同様の動作である。また、第一磁極位置、第二磁極位置、第三磁極位置はそれぞれＵＶＷ相のいずれかの相における位相の位置であり、測定は順不同であって構わない。
また、事前に決定している第一磁極位置から順番に高周波電流振幅の測定を行っているが、図１１の取得シーケンスが動作する時点の回転機回転子位置を測定し、一番近い測定点の相から開始してもよい。たとえばシーケンスを開始したときの初期回転子位置がＶ相に近い場合はＶ相から測定を開始するなど、現在の回転子位置から一番近い測定点から取得シーケンスを開始しても良い。
【００５８】
次のステップ８０４においては、ステップ８０１からステップ８０３で取得した高周波電流振幅を用い、式（７）、式（８）、式（９）の計算を行う。演算が完了した後、アンバランス調整器６２が備える各フィルタ６２１、６２２、６２３に値を設定する。
【００５９】
次に、実施の形態２の構成、すなわち制御手段５のアンバランス調整器５６のフィルタ５６１、５６２、５６３に係数を設定する場合の取得シーケンスについて図１２を用いて説明する。
但し、アンバランス調整器５６のフィルタ５６１、５６２、５６３の係数を取得するシーケンスにおいて、制御手段５は図２に示す制御構成を用いる。この時、高周波電圧指令生成器５２は加減算器と制御器を備え、加減算器は高周波電流振幅指令ベクトル（｜Ｉｄｈ＊｜，０）から検出した高周波電流ベクトル（Ｉｄｈ，０）に基づき算出された高周波電流振幅ベクトル（｜Ｉｄｈ｜，０）を減算して振幅偏差を演算し、出力する。制御器は、加減算器から入力された振幅偏差が０になるように制御して高周波電圧振幅Vｈを演算し、高周波電圧ベクトル（Ｖｄｈ，０）を出力する。なお、高周波電流振幅指令は任意の値で設定すればよく、たとえば回転機定格電流の５％などに予め定めておけばよい。
図１２は、制御手段５のアンバランス調整器５６の各フィルタの係数の取得シーケンスを示すフローチャートである。
まずステップ９０１において、制御手段５により回転機１の第一磁極位置である位相に直流電流を印加し、回転子のＮ極を第一磁極位置に回動させる。回動動作が終了した後、制御手段５は高周波電流振幅が高周波電流振幅指令と一致するような高周波電圧振幅を生成し、第一磁極位置の高周波電圧振幅を取得する。また、高周波電圧振幅については、式（１２）を用いてｑ軸成分Ｉｑｈ＿ｆｌｔから振幅｜Ｉｑｈ＿ｆｌｔ｜を抽出する場合と同様に計算すればよい。
【００６０】
ステップ９０２において、制御手段５により回転機１の第二磁極位置である位相に直流電流を印加し、回転子のＮ極を第二磁極位置に回動させる。回動動作が終了した後、制御手段５は高周波電流の振幅が高周波電流指令と一致するような高周波電圧の振幅を生成し、第二磁極位置の高周波電圧振幅を取得する。
【００６１】
ステップ９０３において、制御手段５により回転機１の第三磁極位置である位相に直流電流を印加し、回転子のＮ極を第三磁極位置に回動させる。回動動作が終了した後、制御手段５は高周波電流の振幅が高周波電流指令と一致するような高周波電圧の振幅を生成し、第三磁極位置の高周波電圧振幅を取得する。
【００６２】
なお、ステップ９０１からステップ９０３の動作は磁極位置が異なるだけで、同様の動作である。また、第一磁極位置、第二磁極位置、第三磁極位置はそれぞれＵＶＷ相のいずれかの相における位相の位置であり、高周波電圧振幅の取得は順不同であって構わない。
また、事前に決定している第一磁極位置から順番に高周波電流振幅の取得を行っているが、図１２の取得シーケンスが動作する時点の回転機回転子位置を測定し、一番近い測定点の相から開始してもよい。たとえばシーケンスを開始したときの初期回転子位置がＷ相に近い場合はＷ相から取得を開始するなど、現在の回転子位置から一番近い測定点から取得シーケンスを開始しても良い。
【００６３】
次のステップ９０４においては、ステップ９０１から９０３で取得した高周波電圧振幅を用い式（１４）、式（１５）、式（１６）の計算を行う。演算が完了した後、アンバランス調整器５６が備える各フィルタ５６１、５６２、５６３に値を設定する。
【００６４】
なお、図１１及び図１２では各相の高周波電流振幅と高周波電圧振幅をそれぞれ計測することでフィルタ値を設定するようにフィルタを構成しているが、３つの磁極位置における固定子抵抗値Ｒ、固定子インダクタンスＬをそれぞれ計測することによってフィルタを構成しても良い。
【００６５】
まず、固定子抵抗値Ｒの測定について、ここではＵ相の固定子抵抗値Ｒｕについて測定する場合について説明を行う。
回転機１の回転子のＮ極はＵ相に位相を合わせて、直流電圧指令を与え、この時、回転機に流れる電流を測定することで次の式（１７）を用いて算出する。
【数１７】
2020217291.tif 000019
他の相においても回転機１の回転子のＮ極の位相を回動し、同様にして測定することができる。
【００６６】
次に、固定子インダクタンスＬの測定について、ここでは回転子Ｎ極をＵ相に合わせた時のインダクタンスを測定する場合について説明を行う。
回転機１の回転子のＮ極はＵ相に位相を合わせて、Ｒ≪ｓＬが成り立つ高周波電圧を印加する。この時における高周波電流振幅を取得し、上述した式（３）より導出される次の式（１８）を用いて回転子Ｎ極をＵ相に合わせた時のインダクタンスを算出する。
【数１８】
2020217291.tif 000020
他の相においても回転機１の回転子のＮ極の位相を回動し、同様にして測定することができる。
【００６７】
以上のように、本実施の形態３によれば、回転機の３箇所の磁極位置に対しての高周波電流振幅あるいは高周波電圧振幅を取得し、各相に対する補正のゲインを算出する。取得したゲインをフィルタの値として用い、高周波電流のアンバランスを補正することで、電流アンバランスが抑制され、回転機の磁極位置の検出精度が向上する。また、このようにして求められた磁極の推定位置に基づいて交流回転機を制御することで、位置センサを用いない回転機の位置制御運転であっても位置決め精度を向上することが可能となる。
【００６８】
実施の形態４．
上記の実施の形態１から３においては、各フィルタに設定される値である補正ゲインはある基準となる相の高周波電流振幅あるいは高周波電圧振幅をもとに算出し、フィルタを構成することにより、高周波電流の相間アンバランスの補正を行う。しかし、基準となる相の高周波電流または高周波電圧振幅の検出精度に依存することになり、相間アンバランスを十分に取り除けない可能性がある。
そこで、この実施の形態４においては、基準となる相の計算方法において各相の高周波電流振幅または高周波電圧振幅の平均値を使うことにより、補正による一層の精度向上を目指す。
【００６９】
まず、実施の形態１における磁極位置演算手段６に備えるアンバランス調整器６２のフィルタの値を設定する場合について説明する。取得した回転機の高周波電流振幅の平均値｜Ｉａｖｅ｜を次の式（１９）を用いて計算する。
【数１９】
2020217291.tif 000021
なお、各相の高周波電流振幅は式（１２）を用いて、ｑ軸成分Ｉｑｈ＿ｆｌｔから振幅｜Ｉｑｈ＿ｆｌｔ｜を抽出する場合と同様に計算すればよい。
【００７０】
基準となる電流の振幅を高周波電流振幅の平均値｜Ｉａｖｅ｜とした場合、式（４）、式（５）、式（６）は次のように書き換えることができ、アンバランス調整器６２のフィルタ６２１の値Ｇuを式（２０）に、フィルタ６２２の値Ｇvを式（２１）に、フィルタ６２３の値Ｇwを式（２２）に示す。
【数２０】
2020217291.tif 000022
【数２１】
2020217291.tif 000023
【数２２】
2020217291.tif 000024
【００７１】
次に、実施の形態２における制御手段５に備えるアンバランス調整器５６のフィルタの値を設定する場合について説明する。測定した回転機の高周波電圧振幅の平均値｜Ｖａｖｅ｜を次の式（２３）を用いて計算する。
【数２３】
2020217291.tif 000025
【００７２】
基準となる電圧の振幅を高周波電圧振幅の平均値｜Ｖａｖｅ｜とした場合、式（１４）、式（１５）、式（１６）は次のように書き換えることができ、フィルタ５６１の値Ｇuを式（２４）に、フィルタ５６２の値Ｇvを式（２５）に、フィルタ５６３の値Ｇwを式（２６）に示す。
【数２４】
2020217291.tif 000026
【数２５】
2020217291.tif 000027
【数２６】
2020217291.tif 000028
【００７３】
以上のように、本実施の形態４によれば、３箇所の磁極位置に対する高周波電流振幅あるいは高周波電圧振幅を取得し、３箇所の高周波電流振幅あるいは高周波電圧振幅平均の値を基準として補正ゲインを算出してフィルタ値を設定するようにした。これにより固定子抵抗Ｒ及び固定子インダクタンスＬ等の回転機定数を個別に測定することなく、フィルタ値を設定することができるため、位置決め精度の向上を実現することができる。また、ある１箇所の高周波電流振幅あるいは高周波電圧振幅を基準としてフィルタ値を設定する場合に比べ、精度良く回転機の高周波電流のアンバランスを補正することを実現でき、これにより位置決め精度が向上する。
【００７４】
実施の形態５．
上記の実施の形態において、各フィルタのフィルタ係数を取得するには３箇所の磁極位置に対する高周波電流振幅あるいは高周波電圧振幅を計測する必要があり、測定時間を要する。本実施の形態５においては、磁極位置に対する測定箇所を１箇所にし、測定を容易にしたものである。
ここでは、回転機の回転子Ｎ極をＵ相の位相に合わせた場合に、回転機検出電流のＵ相電流を基準としてフィルタを構成する例について説明する。なお、基準となる相はＵＶＷのいずれの相であってもよい。
【００７５】
回転機１の回転子Ｎ極をＵ相に合わせた場合、Ｖ相およびＷ相電流はＵ相電流に対して、Ｉｖ＝−Ｉｕ／２、Ｉｗ＝−Ｉｕ／２の関係が成り立つ。この関係を用いて式（４）、式（５）、式（６）は次のように書き換えることができ、アンバランス調整器６２のフィルタ６２１の値Ｇuを式（２７）に、フィルタ６２２の値Ｇvを式（２８）に、フィルタ６２３の値Ｇwを式（２９）に示す。
【００７６】
【数２７】
2020217291.tif 000029
【数２８】
2020217291.tif 000030
【数２９】
2020217291.tif 000031
である。
なお、各相の高周波電流振幅は式（１２）を用いて、ｑ軸成分Ｉｑｈ＿ｆｌｔから振幅｜Ｉｑｈ＿ｆｌｔ｜を抽出する場合と同様に計算すればよい。
【００７７】
以上のように、本実施の形態５によれば、３箇所の磁極位置のうち１箇所に対する高周波電流振幅を取得し、これを基に、３相分のフィルタ値を設定するようにした。これにより固定子抵抗Ｒ及び固定子インダクタンスＬ等の回転機定数を個別に測定することなく、フィルタ値を設定することができるため、高周波電流のアンバランス補正が容易になる。これにより電流アンバランスを補正することができ、回転機の磁極位置の検出精度が向上する。また、このようにして求められた磁極の推定位置に基づいて交流回転機を制御することで、位置センサを用いない回転機の位置制御運転であっても位置決め精度を向上することが可能となる。
【００７８】
本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００７９】
１：回転機、  ２：電流検出手段、  ３：電圧印加手段、  ４，５３，５２２，６３１：座標変換器、  ５：制御手段、  ６：磁極位置演算手段、  １０：制御装置、  １１：プロセッサ、  １２：記憶装置、  １３：コントローラ、  ５１：電流制御器、  ５２：高周波電圧指令生成器、  ５５，６１２：加減算器、  ５４，５７，５８，５９：加算器、  ５６、６２：アンバランス調整器、  ６１：高周波成分抽出部、  ６３：磁極位置演算器、  ５６１，５６２，５６３，６２１，６２２，６２３：フィルタ、  ６３２：交番電流振幅抽出部、  ６３３：磁極偏差演算器、  ６１１：フィルタ、  ６３４：積分器
【図１】
2020217291.tif 000032
【図２】
2020217291.tif 000033
【図３】
2020217291.tif 000034
【図４】
2020217291.tif 000035
【図５】
2020217291.tif 000036
【図６】
2020217291.tif 000037
【図７】
2020217291.tif 000038
【図８】
2020217291.tif 000039
【図９】
2020217291.tif 000040
【図１０】
2020217291.tif 000041
【図１１】
2020217291.tif 000042
【図１２】
2020217291.tif 000043
【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
回転機を駆動する基本波電圧指令を生成するとともに、前記回転機の回転子の磁極位置を推定するための高周波電圧指令を生成し、前記基本波電圧指令及び前記高周波電圧指令を用いて電圧指令を演算する制御手段と、
前記電圧指令に基づいて前記回転機に電圧を印加する電圧印加手段と、
前記回転機の各相の電流を検出する電流検出手段と、
前記検出された回転機の電流から各相の高周波電流を抽出し、前記磁極位置の推定位置を演算する磁極位置演算手段と、
前記各相間の高周波電流のアンバランスを調整するアンバランス調整器と、を備え、
前記磁極位置演算手段は、前記アンバランスの調整された高周波電流を用いて前記回転機の回転子の磁極の推定位置を演算する交流回転機の制御装置。
【請求項２】
前記アンバランス調整器は、前記各相の高周波電流に前記回転機の各相の回転機定数に基づくゲインを付与することにより、各相間の高周波電流のアンバランスを調整する請求項１に記載の交流回転機の制御装置。
【請求項３】
前記アンバランス調整器は、前記高周波電圧指令のうち少なくとも２相の高周波電圧指令に対し、前記各相の回転機定数に基づくゲインを付与し、各相間の高周波電流のアンバランスを調整する請求項１に記載の交流回転機の制御装置。
【請求項４】
前記ゲインは比例定数であることを特徴とする請求項２または３に記載の交流回転機の制御装置。
【請求項５】
請求項１または２に記載の交流回転機の制御装置を用いた交流回転機の制御方法であって、
前記回転機の回転子を第一磁極位置に回動し、前記高周波電圧指令に基づく高周波電圧を印加することで前記電流検出手段により前記第一磁極位置における高周波電流振幅を取得する第一ステップ、
前記第一ステップにおいて取得した第一磁極位置での高周波電流振幅に基づいて、第二及び第三磁極位置の高周波電流振幅を算出し、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、
前記磁極の推定位置に基づいて回転機を駆動させるステップを備える交流回転機の制御方法。
【請求項６】
請求項１または２に記載の交流回転機の制御装置を用いた交流回転機の制御方法であって、
前記回転機の回転子を第一磁極位置に回動し、前記高周波電圧指令に基づく高周波電圧を印加することで前記電流検出手段により前記第一磁極位置における高周波電流振幅を取得する第一ステップ、
前記回転機の回転子を第二磁極位置に回動し、前記高周波電圧指令に基づく高周波電圧を印加することで前記電流検出手段により前記第二磁極位置における高周波電流振幅を取得する第二ステップ、
前記回転機の回転子を第三磁極位置に回動し、前記高周波電圧指令に基づく高周波電圧を印加することで前記電流検出手段により前記第三磁極位置における高周波電流振幅を取得する第三ステップ、
前記第一ステップ、前記第二ステップ及び前記第三ステップにおいて取得した各磁極位置での高周波電流振幅に基づいて、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、
前記磁極の推定位置に基づいて回転機を駆動させるステップを備える交流回転機の制御方法。
【請求項７】
請求項１または３に記載の交流回転機の制御装置を用いた交流回転機の制御方法であって、
前記回転機の回転子を第一磁極位置に回動し、予め定められた高周波電流振幅指令と前記高周波電流の振幅とが一致するように、前記高周波電圧指令の振幅を調整し、前記第一磁極位置における高周波電圧振幅を取得する第一ステップ、
前記回転機の回転子を第二磁極位置に回動し、前記高周波電流振幅指令と前記高周波電流の振幅とが一致するように、前記高周波電圧指令の振幅を調整し、前記第二磁極位置における高周波電圧振幅を取得する第二ステップ、
前記回転機の回転子を第三磁極位置に回動し、前記高周波電流振幅指令と前記高周波電流の振幅とが一致するように、前記高周波電圧指令の振幅を調整し、前記第三磁極位置における高周波電圧振幅を取得する第三ステップ、
前記第一ステップ、前記第二ステップ及び前記第三ステップにおいて取得した各磁極位置での高周波電圧振幅に基づいて、前記各相の回転機定数に基づくゲインを算出するステップ、
前記算出された各相の回転機定数に基づくゲインを付与し前記回転機の各相間の高周波電流のアンバランスを調整するステップ、
及び前記調整された高周波電流を用いて前記回転機の回転子の磁極の推定位置を演算し、前記磁極の推定位置に基づいて回転機を駆動させるステップを備える交流回転機の制御方法。
【請求項８】
前記回転機の各相間の高周波電流のアンバランスを調整するステップにおいて、前記第一ステップ、前記第二ステップ及び前記第三ステップにおいて取得した各相の高周波電流振幅の平均値に基づいて算出されるゲインを付与することにより、各相間の高周波電流のアンバランスを調整する請求項６に記載の交流回転機の制御方法。
【請求項９】
前記回転機の各相間の高周波電流のアンバランスを調整するステップにおいて、前記第一ステップ、前記第二ステップ及び前記第三ステップにおいて取得した各相の高周波電圧振幅の平均値に基づいて算出されるゲインを付与することにより、各相間の高周波電流のアンバランスを調整する請求項７に記載の交流回転機の制御方法。
【手続補正２】
【補正対象書類名】明細書
【補正対象項目名】０００７
【補正方法】変更
【補正の内容】
【０００７】
本願に開示される交流回転機の制御装置は、回転機を駆動する基本波電圧指令を生成するとともに、前記回転機の回転子の磁極位置を推定するための高周波電圧指令を生成し、前記基本波電圧指令及び前記高周波電圧指令を用いて電圧指令を演算する制御手段と、前記電圧指令に基づいて前記回転機に電圧を印加する電圧印加手段と、前記回転機の各相の電流を検出する電流検出手段と、前記検出された回転機の電流から各相の高周波電流を抽出し、前記磁極位置の推定位置を演算する磁極位置演算手段と、前記各相間の高周波電流のアンバランスを調整するアンバランス調整器と、を備え、前記磁極位置演算手段は、前記アンバランスの調整された高周波電流を用いて前記回転機の回転子の磁極の推定位置を演算するものである。
【手続補正３】
【補正対象書類名】明細書
【補正対象項目名】００４４
【補正方法】変更
【補正の内容】
【００４４】
加算器５７、５８、５９は、それぞれ基本波電圧指令ベクトル（Ｖｕｆ，Ｖｖｆ，Ｖｗｆ）と、アンバランス調整器５６の出力である高周波補正電圧指令ベクトル（Ｖｕｈ＿ｆｌｔ＊，Ｖｖｈ＿ｆｌｔ＊，Ｖｗｈ＿ｆｌｔ＊）とを加算することで、高周波成分の補正された静止座標の各相電圧指令ベクトルを出力する。
【国際調査報告】
2020217291.tif 000044
2020217291.tif 000045